(57)【要約】【課題】照明器具がシーリングファンに設置されていない状態で照明器具の点灯操作をされることによる無駄な電力を消費しないようにするシーリングファンを提供することを目的とする。【解決手段】照明駆動手段１１０の動作状態と照度センサー１の明るさとからマイクロコンピュータ２により照明器具１０８の接続状態を判定し、照明器具１０８が接続されていない場合には照明駆動手段１１０をＯＦＦすることで、照明駆動手段１１０を駆動したときに消費する無駄な電力が削減できる。【選択図】図２
2012097569.tif 000002
【特許請求の範囲】
【請求項１】
モータと、このモータの回転子に固定される羽根と、前記モータの固定子の下面に配置され照明器具が取り付け可能な照明器具固定板と、前記モータと前記照明器具固定板に固定された照明を制御する制御装置とを備えたシーリングファンにおいて、前記制御装置は、前記照明器具の通電状態をＯＮ／ＯＦＦさせる照明駆動手段と、室内の明るさを検出する照度検出手段と、前記照明駆動手段の動作状態と前記照度検出手段の明るさとから照明器具の接続状態を判定する照明器接続判定手段とを備え、前記照明駆動手段をＯＮした後ときに、前記照明器接続判定手段が前記照度検出手段の検知した明るさが所定の明るさよりも暗い場合には照明が接続されていないと判断し、前記制御装置は、前記照明器接続判定手段の判断を受けて照明駆動手段をＯＦＦさせる構成としたシーリングファン。
【請求項２】
前記モータと前記照明を制御するためのリモコンと、前記制御装置にリモコンからの信号を受信するリモコン受信手段を備え、前記照明器接続判定手段により照明が接続されていないと判断した場合には照明を制御する信号には反応しないようにした請求項１記載のシーリングファン。
【請求項３】
前記制御装置は前記照度検出手段の電源を入り切りする照度検出駆動手段を備え、照明器接続判定手段により照明が接続されていないと判断した場合には、照度検出駆動手段により、照度検出手段の電源を切るようにした請求項１記載のシーリングファン。
【請求項４】
前記制御装置は前記照明器接続判定手段により判定された結果を記憶する不揮発性メモリを備え、電源ＯＮ時にこの不揮発性メモリの記憶内容に基づいて照明駆動手段のＯＮ／ＯＦＦを行うようにした請求項１記載のシーリングファン。
【請求項５】
前記制御装置は前記照度検出手段の電源を入り切りする照度検出駆動手段を備え、電源ＯＮ時に前記不揮発性メモリの記憶内容が照明接続なしの時には、前記照度検出手段の電源を入れないようにした請求項４記載のシーリングファン。
【請求項６】
前記モータと前記照明を制御するためのリモコンと、前記制御装置にリモコンからの信号を受信するリモコン受信手段を備え、前記不揮発性メモリの記憶内容が照明接続なしの時には、リモコンからの照明を制御する信号には反応しないようにした請求項４記載のシーリングファン。
【請求項７】
前記制御装置は電源遮断時間計測手段を有し、電源が切られた後、規定された時間の中で再度電源が入れられた時には、前記不揮発性メモリの記憶内容を消去するようにした請求項４記載のシーリングファン。
【請求項８】
前記モータと前記照明を制御するためのリモコンと、前記制御装置にリモコンからの信号を受信するリモコン受信手段を備え、このリモコンに照明設定解除スイッチを設け、このスイッチが押された時に送信される信号を受信した時には、前記不揮発性メモリの内容を消去するようにした請求項４記載のシーリングファン。
【請求項９】
前記モータと前記照明を制御するためのリモコンと、前記制御装置にリモコンからの信号を受信するリモコン受信手段を備え、このリモコンの複数のスイッチを同時に押した時に照明設定解除の信号が送信され、この信号を受信した時には、前記不揮発性メモリの内容を消去するようにした請求項４記載のシーリングファン。
【発明の詳細な説明】
【技術分野】
【０００１】
本発明は、一般家庭や事務所等で使用されるシーリングファンに関するものである。
【背景技術】
【０００２】
冷暖房機と併用して使用されるシーリングファンは、天井から涼風を供給するとともに、冷房時に床面に偏っている冷気を拡散させ、室内の温度を均一化させる機能が快適で健康にもよく、かつ、冷房機器を省エネ運転できる経済効果から普及が広がりつつある。
【０００３】
従来、この種のシーリングファンの一例として照明器具がシーリングファン本体下部に取り付け可能な天井扇風機が知られている（例えば、特許文献１参照）。
【０００４】
以下、そのシーリングファンについて図１０を参照しながら説明する。
【０００５】
図１０に示すように、中心をシャフト１０１で軸支される外転型のモータ１０２と、このモータの回転子１０３に固定される羽根１０４と、前記モータ１０２の固定子１０５の下面に固定される照明器具固定板１０６と、この照明器具固定板１０６に収納される制御装置１０７と、前記照明器具固定板１０６に取り付けられた照明器具１０８で構成されている。
【０００６】
図１１は回路ブロック図で、前記制御装置１０７はマイクロコンピュータ１０９と照明駆動手段１１０としてのリレー１１１とこのリレー１１１を駆動するトランジスタ１１２で構成され、電源は、シーリングファンが設置されている付近の壁に取り付けられた壁スイッチ１１３を介して供給されている。
【０００７】
上記構成において、シーリングファンの運転時には、リモコン（図示せず）からの信号を前記制御装置１０７が受信し、風速設定指示信号に従って規定された回転数になるようにモータ１０２に通電し、羽根１０４が回転して室内全体に送風が行なわれる。照明も同様にリモコンからの点灯／消灯指示信号に従って制御装置１０７が照明駆動手段１１０を介して照明器具１０８の通電制御をしている。
【０００８】
また、照明を夜間に点灯させる場合は、暗やみの中でリモコンを捜し出してから操作する手間を省くために、壁スイッチ１１３がＯＮされた時には、マイクロコンピュータ１０９は照明駆動手段１１０のトランジスタ１１２に通電し、リレー１１１の接点を閉じることにより照明を点灯している。つまり、シーリングファンに電源が投入されたときには、照明駆動手段１１０のトランジスタ１１２に通電がされ、リレー１１１の接点が閉じる構成となっていた。
【先行技術文献】
【特許文献】
【０００９】
【特許文献１】特開平６−１０８８１号公報
【発明の概要】
【発明が解決しようとする課題】
【００１０】
このような従来のシーリングファンでは、使用者の要望により選択して照明器具を取り付けるものであった。そこで、シーリングファンは、照明を取り付けた場合と取り付けない場合と両方に対応できるように予め照明駆動手段を備えておくものであった。
【００１１】
そのため、照明器具がシーリングファンに設置されていないときにも照明駆動回路が駆動され、無駄な電力が消費されてしまうといった課題を有していた。
【００１２】
そこで、本発明は、このような従来の課題を解決するものであり、照明器具がシーリングファンに設置されていない時には、無駄な電力を消費しないようにしたシーリングファンを提供することを目的としている。
【課題を解決するための手段】
【００１３】
そして、この目的を達成するために、モータと、このモータの回転子に固定される羽根と、前記モータの固定子の下面に配置され照明器具が取り付け可能な照明器具固定板と、前記モータと前記照明器具固定板に固定された照明を制御する制御装置とを備えたシーリングファンにおいて、前記制御装置は、前記照明器具の通電状態をＯＮ／ＯＦＦさせる照明駆動手段と、室内の明るさを検出する照度検出手段と、前記照明駆動手段の動作状態と前記照度検出手段の明るさとから照明器具の接続状態を判定する照明器接続判定手段とを備え、前記照明駆動手段をＯＮしたときに、前記照明器接続判定手段が前記照度検出手段の検知した明るさが所定の明るさよりも暗い場合には照明が接続されていないと判断し、前記制御装置は、前記照明器接続判定手段の判断を受けて照明駆動手段をＯＦＦさせる構成としたものであり、これにより所期の目的を達成するものである。
【００１４】
また、本発明のシーリングファンは、リモコンからの信号でモータと照明を制御できるが、照明器接続判定手段により照明が接続されていないと判断した場合には照明を制御する信号には反応しない構成にした。
【００１５】
また、本発明のシーリングファンは、モータと照明を制御するためのリモコンと、制御装置にリモコンからの信号を受信するリモコン受信手段を備え、照明器接続判定手段により照明が接続されていないと判断した場合には照明を制御する信号には反応しない構成にした。
【００１６】
また、本発明のシーリングファンは、制御装置は照度検出手段の電源を入り切りする照度検出駆動手段を備え、照明器接続判定手段により照明が接続されていないと判断した場合には、照度検出駆動手段により、照度検出手段の電源を切る構成にした。
【００１７】
また、本発明のシーリングファンは、制御装置は照明器接続判定手段により判定された結果を記憶する不揮発性メモリを備え、電源ＯＮ時にこの不揮発性メモリの記憶内容に基づいて照明駆動手段のＯＮ／ＯＦＦを行う構成にした。
【００１８】
また、本発明のシーリングファンは、制御装置は照度検出手段の電源を入り切りする照度検出駆動手段を備え、電源ＯＮ時に前記不揮発性メモリの記憶内容が照明接続なしの時には、前記照度検出手段の電源を入れない構成にした。
【００１９】
また、本発明のシーリングファンは、モータと照明を制御するためのリモコンと、制御装置にリモコンからの信号を受信するリモコン受信手段を備え、不揮発性メモリの記憶内容が照明接続なしの時には、リモコンからの照明を制御する信号には反応しない構成にした。
【００２０】
また、本発明のシーリングファンは、制御装置は電源遮断時間計測手段を有し、電源が切られた後、規定された時間の中で再度電源が入れられた時には、前記不揮発性メモリの記憶内容を消去する構成にした。
【００２１】
また、本発明のシーリングファンは、モータと照明を制御するためのリモコンと、前記制御装置にリモコンからの信号を受信するリモコン受信手段を備え、このリモコンに照明設定解除スイッチを設け、このスイッチが押された時に送信される信号を受信した時には、前記不揮発性メモリの内容を消去する構成にした。
【００２２】
また、本発明のシーリングファンは、モータと照明を制御するためのリモコンと、制御装置にリモコンからの信号を受信するリモコン受信手段を備え、このリモコンの複数のスイッチを同時に押した時に照明設定解除の信号が送信され、この信号を受信した時には、前記不揮発性メモリの内容を消去する構成にした。
【発明の効果】
【００２３】
本発明によれば、モータと、このモータの回転子に固定される羽根と、前記モータの固定子の下面に配置され照明器具が取り付け可能な照明器具固定板と、前記モータと前記照明器具固定板に固定された照明を制御する制御装置とを備えたシーリングファンにおいて、前記制御装置は、前記照明器具の通電状態をＯＮ／ＯＦＦさせる照明駆動手段と、室内の明るさを検出する照度検出手段と、前記照明駆動手段の動作状態と前記照度検出手段の明るさとから照明器具の接続状態を判定する照明器接続判定手段とを備え、前記照明駆動手段をＯＮしたときに、前記照明器接続判定手段が前記照度検出手段の検知した明るさが所定の明るさよりも暗い場合には照明が接続されていないと判断し、前記制御装置は、前記照明器接続判定手段の判断を受けて照明駆動手段をＯＦＦさせる構成としたことにより、照明器具がシーリングファンに設置されていない時には、無駄な電力を消費することがない効果のあるシーリングファンを提供できる。
【図面の簡単な説明】
【００２４】
【図１】本発明の実施の形態１のシーリングファンの構造図
【図２】同回路ブロック図
【図３】本発明の実施の形態２のシーリングファンの構造図
【図４】同回路ブロック図
【図５】本発明の実施の形態３の回路ブロック図
【図６】本発明の実施の形態４の回路ブロック図
【図７】本発明の実施の形態５の回路ブロック図
【図８】本発明の実施の形態６の回路ブロック図
【図９】本発明の実施の形態７の回路ブロック図
【図１０】従来のシーリングファンの構造図
【図１１】同回路ブロック図
【発明を実施するための形態】
【００２５】
本発明の請求項１記載の発明は、モータと、このモータの回転子に固定される羽根と、前記モータの固定子の下面に配置され照明器具が取り付け可能な照明器具固定板と、前記モータと前記照明器具固定板に固定された照明を制御する制御装置とを備えたシーリングファンにおいて、前記制御装置は、前記照明器具の通電状態をＯＮ／ＯＦＦさせる照明駆動手段と、室内の明るさを検出する照度検出手段と、前記照明駆動手段の動作状態と前記照度検出手段の明るさとから照明器具の接続状態を判定する照明器接続判定手段とを備え、前記照明駆動手段をＯＮしたときに、前記照明器接続判定手段が前記照度検出手段の検知した明るさが所定の明るさよりも暗い場合には照明が接続されていないと判断し、前記制御装置は、前記照明器接続判定手段の判断を受けて照明駆動手段をＯＦＦさせる構成を有する。これにより照明器具がシーリングファンに設置されていない時には、無駄な電力を消費することがないという効果を奏する。
【００２６】
また、請求項２記載の発明は、前記モータと前記照明を制御するためのリモコンと、前記制御装置にリモコンからの信号を受信するリモコン受信手段を備え、前記照明器接続判定手段により照明が接続されていないと判断した場合には照明を制御する信号には反応しないようにした構成を有する。これによりリモコンの照明を点灯するスイッチを誤って押されても、照明駆動手段に通電されないため、無駄な電力を消費することがないという効果を奏する。
【００２７】
また、請求項３記載の発明は、前記照度検出手段の電源を入り切りする照度検出駆動手段を備え、照明器接続判定手段により照明が接続されていないと判断した場合には、照度検出駆動手段により、照度検出手段の電源を切るようにした構成を有する。これにより照度検出手段により消費される電力を削減できるという効果を奏する。
【００２８】
また、請求項４記載の発明は、前記照明器接続判定手段により判定された結果を記憶する不揮発性メモリを備え、電源ＯＮ時にこの不揮発性メモリの記憶内容に基づいて照明駆動手段のＯＮ／ＯＦＦを行うようにした構成を有する。これにより照明器具が接続されていない場合、電源ＯＮ時に一度照明駆動手段に通電することによる無駄な電力を削減できるという効果を奏する。
【００２９】
また、請求項５記載の発明は、照度検出手段の電源を入り切りする照度検出駆動手段を備え、電源ＯＮ時に前記不揮発性メモリの記憶内容が照明接続なしの時には、前記照度検出手段の電源を入れないようにした構成を有する。これにより電源ＯＮ時に照度検出手段により消費される電力を削減できるという効果を奏する。
【００３０】
また、請求項６記載の発明は、前記モータと前記照明を制御するためのリモコンと、前記制御装置にリモコンからの信号を受信するリモコン受信手段を備え、前記不揮発性メモリの記憶内容が照明接続なしの時には、リモコンからの照明を制御する信号には反応しないようにした構成を有する。これによりリモコンの照明を点灯するスイッチを誤って押されても、照明駆動手段に通電されないため、無駄な電力を消費することがないという効果を奏する。
【００３１】
また、請求項７記載の発明は、電源遮断時間計測手段を有し、電源が切られた後、規定された時間の中で再度電源が入れられた時には、前記不揮発性メモリの記憶内容を消去するようにした構成を有する。これにより照明器具をシーリングファンの後で設置した場合でも、不揮発性メモリの記憶内容を消去するスイッチを設けることなく、不揮発性メモリの記憶内容を消去でき、壁スイッチがＯＮされた時には照明を点灯することができるという効果を奏する。
【００３２】
また、請求項８記載の発明は、前記モータと前記照明を制御するためのリモコンと、前記制御装置にリモコンからの信号を受信するリモコン受信手段を備え、このリモコンに照明設定解除スイッチを設け、このスイッチが押された時に送信される信号を受信した時には、前記不揮発性メモリの内容を消去するようにした構成を有する。これにより不揮発性メモリの記憶内容を消去するスイッチをシーリングファン本体設けることなく、不揮発性メモリの記憶内容を消去でき、壁スイッチがＯＮされた時には照明を点灯することができるという効果を奏する。
【００３３】
また、請求項９記載の発明は、前記モータと前記照明を制御するためのリモコンと、前記制御装置にリモコンからの信号を受信するリモコン受信手段を備え、このリモコンの複数のスイッチを同時に押した時に照明設定解除の信号が送信され、この信号を受信した時には、前記不揮発性メモリの内容を消去するようにした構成を有する。これによりこれにより不揮発性メモリの記憶内容を消去するスイッチをリモコンに設けることなく、不揮発性メモリの記憶内容を消去でき、壁スイッチがＯＮされた時には照明を点灯することができるという効果を奏する。
【００３４】
以下、本発明の実施の形態について図面を参照しながら説明する。
【００３５】
（実施の形態１）
以下、本発明の実施の形態１について図１、２を参照しながら説明する。
【００３６】
中心をシャフト１０１で軸支される外転型のモータ１０２と、このモータの回転子１０３に固定される羽根１０４と、前記モータ１０２の固定子１０５の下面に固定される照明器具固定板１０６と、この照明器具固定板１０６に収納される制御装置１０７とで構成される。
【００３７】
照明器具１０８は前記照明器具固定板１０６に固定可能となっており、部屋の広さや部屋のデザインに合わせて使用者が自由に選択して取り付けることができる。電源は、シーリングファンが設置されている付近の壁に取り付けられた壁スイッチ１１３を介して供給されている。
【００３８】
前記制御装置１０７は前記照明器具１０８の通電状態をＯＮ／ＯＦＦさせる照明駆動手段１１０としてのリレー１１１とこのリレー１１１を駆動するトランジスタ１１２と、室内の明るさを検出する照度検出手段としての照度センサー１と、前記照明駆動手段１１０の動作状態と前記照度センサー１の明るさとから照明器具１０８の接続状態を判定する照明器接続判定手段としてのマイクロコンピュータ２とで構成されている。
【００３９】
上記構成において、壁スイッチ１１３がＯＮされるとマイクロコンピュータ２は照度センサー１からの信号を入力し、信号レベルが規定値未満で室内が暗いと判断した時にはトランジスタ１１２をＯＮし、リレー１１１の接点を閉じる。
【００４０】
この時、照明器具１０８が接続されておれば、照明に通電され部屋が明るくなるが、照明器具１０８が接続されていなければ、部屋の明るさに変化はない。マイクロコンピュータ２は照明に通電してから照明が確実に点灯するまでの時間が経過した後に前記照度センサー１からの信号を入力し、トランジスタ１１２の駆動前の照度センサー１信号のレベルと比較し明るいほうに変化があれば、照明が接続されていると判断しトランジスタ１１２の駆動を継続する。トランジスタ１１２の駆動前の照度センサー１信号のレベルと比較し信号のレベルに変化がない時には、照明が接続されていないと判断してトランジスタ１１２をＯＦＦする。
【００４１】
一方、壁スイッチ１１３がＯＮされた時、マイクロコンピュータ２は照度センサー１からの信号を入力し、信号レベルが規定値以上で室内が明るいと判断した時にはトランジスタ１１２はＯＦＦのままで、照明器具１０８には通電しない。
【００４２】
以上のように照明が設置されている場合には室内の明るさにより照明を点灯することができるとともに、照明器具が設置されていない場合には、照明を駆動するための無駄な電力の消費をなくすことができる。
【００４３】
（実施の形態２）
図３は、本実施の形態２における構造図、図４は回路ブロック図を示す。図３、４において図１、２と同様の構成要素については同一の符号を付し、その詳細な説明は省略する。
【００４４】
制御装置１０７はモータ１０２と照明器具１０８を制御するためのリモコン（図示せず）の赤外線信号を受信して電気信号に変換しマイクロコンピュータ２に入力するリモコン受光素子３を有する。
【００４５】
上記構成において、壁スイッチ１１３でシーリングファンに通電された時には請求項１と同様に、マイクロコンピュータ２は照度センサー１からの信号を入力し、信号レベルが規定値未満で室内が暗いと判断した時にはトランジスタ１１２をＯＮし、リレー１１１の接点を閉じる。トランジスタ１１２の駆動前の照度センサー１信号のレベルと比較し信号のレベルに変化がない時には、照明が接続されていないと判断してトランジスタ１１２をＯＦＦする。トランジスタ１１２をＯＦＦした後は、リモコンから照明ＯＮ／ＯＦＦ信号が送信されると、リモコン受光素子３がこの信号を受信してマイクロコンピュータ２に信号を入力するが、マイクロコンピュータ２は照明が接続されていないとすでに判断しているため、この信号を無視し、トランジスタ１１２をＯＦＦした状態を継続する。
【００４６】
壁スイッチ１１３でシーリングファンに通電された時、マイクロコンピュータ２は照度センサー１から信号が規定値以上で室内が明るいと判断した時にはトランジスタ１１２はＯＦＦのままで、照明器具１０８には通電しない。この後、リモコンから照明ＯＮ信号が送信されると、マイクロコンピュータ２は一旦、トランジスタ１１２をＯＮし、リレー１１１の接点を閉じる。トランジスタ１１２の駆動前の照度センサー１信号のレベルと比較し信号のレベルに変化がない時には、照明が接続されていないと判断してトランジスタ１１２をＯＦＦする。この後は、リモコンから照明ＯＮ／ＯＦＦ信号が送信されても、マイクロコンピュータ２は照明が接続されていないとすでに判断しているため、この信号を無視し、トランジスタ１１２をＯＦＦした状態を継続する。
【００４７】
以上のように、照明が接続されていない場合、リモコンの照明を点灯するスイッチを誤って押されても、照明駆動手段に通電されないため、無駄な電力を消費することをなくすことができる。
【００４８】
（実施の形態３）
図５は、本実施の形態３における回路ブロック図を示す。
【００４９】
本実施の形態は前記実施の形態１に対して照度センサー１の電源を入り切りする照度検出駆動手段４としてのトランジスタ５を追加したものであり、同一構成のものは同一番号を付して詳しい説明は省略する。
【００５０】
照度検出駆動手段４としてのトランジスタ５はマイクロコンピュータ２からＯＮ／ＯＦＦ制御され照度センサー１への電源供給をコントロールしている。
【００５１】
上記構成において、壁スイッチ１１３がＯＮされ、電源が制御装置１０７に供給されるとマイクロコンピュータ２はトランジスタ５をＯＮし、照度センサー１へ電源を供給し、照度センサー１からの信号により室内の明るさを判断し、明るい時はトランジスタ１１２のＯＦＦを継続し、暗い時にはトランジスタ１１２をＯＮし、リレー１１１の接点を閉じ照明への電源を供給する。この時、照明器具１０８が接続されておれば、照明に通電され部屋が明るくなるので照明器具１０８が接続されていると判断し、トランジスタ１１２のＯＮを継続する。照明器具１０８が接続されていなければ、部屋の明るさに変化はないので、接続されていないと判断し、トランジスタ１１２をＯＦＦする。
【００５２】
この後、照度検出駆動手段４としてのトランジスタ５をＯＦＦし、照度センサー１への電源をＯＦＦする。
【００５３】
以上のように照明器具１０８の接続判断が終了した後は、照度センサー１の電源を遮断することにより、照度検出手段により消費される電力を削減できる。
【００５４】
（実施の形態４）
図６は、本実施の形態４における回路ブロック図を示す。
【００５５】
本実施の形態は前記実施の形態１に対して照明器接続判定手段により判定された結果を記憶する不揮発性メモリ６を追加したものであり、同一構成のものは同一番号を付して詳しい説明は省略する。
【００５６】
シーリングファンを設置後に始めて壁スイッチ１１３がＯＮされ、電源が制御装置１０７に供給されるとマイクロコンピュータ２はトランジスタ５をＯＮし、照度センサー１へ電源を供給し、照度センサー１からの信号により室内の明るさを判断し、暗い時にはトランジスタ１１２をＯＮし、リレー１１１の接点を閉じ照明への電源を供給する。この時、照明器具１０８が接続されておれば、照明に通電され部屋が明るくなるので照明器具１０８が接続されていると判断し、トランジスタ１１２のＯＮを継続する。同時に不揮発性メモリ６には照明接続有りに対応するデータを書き込む。
【００５７】
照明器具１０８が接続されていなければ、部屋の明るさに変化はないので、接続されていないと判断し、トランジスタ１１２をＯＦＦし、不揮発性メモリ６には照明接続なしに対応するデータを書き込む。
【００５８】
また、照度センサー１からの信号により室内が明るい時はトランジスタ１１２のＯＦＦを継続し、この時は不揮発性メモリ６には照明接続不明に対応するデータを書き込む。
【００５９】
２回目以降、壁スイッチ１１３により電源が供給された時には、マイクロコンピュータ２は不揮発性メモリ６からデータを読み込み、照明接続有りに対応するデータであれば、照度センサー１からの信号により室内が暗いか明るいかを判断し、暗ければトランジスタ１１２をＯＮすることで照明器具１０８に通電し、明るければトランジスタ１１２のＯＦＦを継続する。
【００６０】
不揮発性メモリ６から読み込んだデータが照明接続なしであれば、トランジスタ１１２のＯＦＦを継続する。
【００６１】
不揮発性メモリ６から読み込んだデータが照明接続不明であれば、シーリングファンを設置後に始めて壁スイッチ１１３がＯＮされた時と同様の動作を行い、照明器具１０８の接続の判断をし、結果を不揮発性メモリ６に書き込む。
【００６２】
以上のように不揮発性メモリ６に照明器具１０８の接続状態を記憶しておくことで、壁スイッチ１１３がＯＮされた時の照明駆動手段へ通電することによる無駄な電力を削減できる。
【００６３】
（実施の形態５）
図７は、本実施の形態５における回路ブロック図を示す。
【００６４】
本実施の形態は前記実施の形態４に対して照度検出駆動手段４としてのトランジスタ５を追加したものであり、同一構成のものは同一番号を付して詳しい説明は省略する。
【００６５】
壁スイッチ１１３がＯＮされ、電源が制御装置１０７に供給されるとマイクロコンピュータ２は不揮発性メモリ６のデータを読み込み、データが照明接続なしであれば、トランジスタ１１２のＯＦＦを継続する。
【００６６】
照明接続有りに対応するデータであれば、トランジスタ５をＯＮし照度センサー１に通電後、照度センサー１からの信号により室内が暗いか明るいかを判断し、暗ければトランジスタ１１２をＯＮすることで照明器具１０８に通電し、明るければトランジスタ１１２のＯＦＦを継続する。
【００６７】
データが照明接続不明であれば、トランジスタ５をＯＮし照度センサー１に通電して実施の形態４のシーリングファンを設置後に始めて壁スイッチ１１３がＯＮされた時と同様の動作を行い、照明器具１０８の接続の判断をし、結果を不揮発性メモリ６に書き込み、トランジスタ５をＯＦＦして照度センサー１への電源供給を停止する。
【００６８】
以上のように不揮発性メモリ６の照明器具１０８の接続状態の記憶結果から照度検出駆動手段４への通電判断をすることで、照度検出手段により消費される電力を削減できる。
【００６９】
（実施の形態６）
図８は、本実施の形態６における回路ブロック図を示す。
【００７０】
本実施の形態は前記実施の形態４に対してリモコン受光素子３を追加したものであり、同一構成のものは同一番号を付して詳しい説明は省略する。
【００７１】
壁スイッチ１１３がＯＮされ、電源が制御装置１０７に供給されるとマイクロコンピュータ２は不揮発性メモリ６のデータを読み込み、データが照明接続なしであれば、以降リモコンから照明ＯＮの信号をリモコン受光素子３が受信してもこの信号を無視し、照明駆動手段１１０のトランジスタ１１２のＯＦＦを継続する。
【００７２】
照明接続有りに対応するデータであれば、以降リモコンから送信された照明ＯＮまたは照明ＯＦＦの信号をリモコン受光素子３が受信したときには、マイクロコンピュータ２は照明駆動手段１１０のトランジスタ１１２のＯＮまたはＯＦＦし、照明器具１０８の点灯、消灯を行う。
【００７３】
以上のように不揮発性メモリ６の照明器具１０８の記憶結果が照明接続なしの場合、リモコンからの照明を制御する信号を無視することにより、モコンの照明を点灯するスイッチを誤って押されても、照明駆動手段に通電されないため、無駄な電力を消費することがない。
【００７４】
（実施の形態７）
図９は、本実施の形態６における回路ブロック図を示す。図９において図６と同様の構成要素については同一の符号を付し、その詳細な説明は省略する。
【００７５】
電源電圧に同期する信号を発生するため抵抗・ダイオード・フォトカプラで構成された電源同期信号発生手段７を有し、この電源同期信号発生手段７の信号がマイクロコンピュータ２に入力され、電源遮断時間計測手段としてのマイクロコンピュータ２はこの信号がなくなった時間を計測することで電源が遮断された時間を計測している。
【００７６】
上記構成において、通常電源が制御装置１０７に供給されている時には、電源同期信号発生手段７からマイクロコンピュータ２に入力される信号は電源の周波数（５０／６０Ｈｚ）に同期したＨｉ／Ｌｏの信号である。
【００７７】
壁スイッチ１１３がＯＦＦされると電源同期信号発生手段７からマイクロコンピュータ２に入力される信号はＨｉになり、再度壁スイッチ１１３がＯＮされると信号は電源の周波数に同期したＨｉ／Ｌｏになる。マイクロコンピュータ２はこの信号が連続してＨｉである時間を計測し、使用者が意図して操作できる時間（約２秒〜５秒）の範囲内であれば、不揮発性メモリ６に書き込んだ照明器具１０８の接続状態のデータをクリア、すなわち照明接続不明のデータを書き込む。
【００７８】
その後、実施の形態４と同様に、照度センサー１の信号により、照明器具１０８の接続判断を実施する。
【００７９】
以上のように壁スイッチ１１３により電源を意図的に遮断する時間により照明器具１０８の接続状態をクリアすることで、照明器具をシーリングファンの後で設置した場合でも、不揮発性メモリの記憶内容を消去するスイッチを設けることなく、不揮発性メモリの記憶内容を消去でき、壁スイッチがＯＮされた時には照明を点灯することができる。
【００８０】
（実施の形態８）
本実施の形態は前記実施の形態６の構成と同一であり判断処理が異なるのみであり、同一構成のものは同一番号を付して詳しい説明は省略する。
【００８１】
リモコン（図示せず）には通常のシーリングファンのＯＮ／ＯＦＦ・回転数指示や照明のＯＮ／ＯＦＦスイッチのほかに照明設定解除スイッチを設けている。このスイッチが押された時には照明設定解除信号が送信され、マイクロコンピュータ２はこの信号を入力すると不揮発性メモリ６に書き込んだ照明器具１０８の接続状態のデータをクリア、すなわち照明接続不明のデータを書き込む。
【００８２】
その後、実施の形態４と同様に、照度センサー１の信号により、照明器具１０８の接続判断を実施する。
【００８３】
以上のように不揮発性メモリ６の記憶内容を消去するスイッチをシーリングファン本体設けることなく、不揮発性メモリ６の記憶内容を消去でき、照明器具をシーリングファンの後で設置した場合でも、壁スイッチがＯＮされた時には照明を点灯することができる。
【００８４】
（実施の形態９）
本実施の形態は前記実施の形態６の構成と同一であり判断処理が異なるのみであり、同一構成のものは同一番号を付して詳しい説明は省略する。
【００８５】
リモコン（図示せず）には通常のシーリングファンのＯＮ／ＯＦＦ・回転数指示や照明のＯＮ／ＯＦＦスイッチが設けられており、これらのスイッチの中で特定の組み合わせのスイッチが同時にが押された時には照明設定解除信号が送信され、マイクロコンピュータ２はこの信号を入力すると不揮発性メモリ６に書き込んだ照明器具１０８の接続状態のデータをクリア、すなわち照明接続不明のデータを書き込む。
【００８６】
その後、実施の形態４と同様に、照度センサー１の信号により、照明器具１０８の接続判断を実施する。
【００８７】
以上のようにリモコンの複数のスイッチを同時に押すことにより照明器具１０８の接続状態のデータを消去できるようにしたことで、照明器具をシーリングファンの後で設置した場合でも、壁スイッチがＯＮされた時には照明を点灯することができる。
【産業上の利用可能性】
【００８８】
本発明にかかるシーリングファンは、照明器具が設置されていない場合には無効な消費電力が削減できるので、一般家庭のほか照明器具がシーリングファン以外の場所に別に設置されるケースが多い事務所や店舗にも有用である。
【符号の説明】
【００８９】
１  照度センサー（照度検出手段）
２  マイクロコンピュータ（照明器接続判定手段）
１０２  モータ
１０４  羽根
１０６  照明器具固定板
１０７  制御装置
１１０  照明駆動手段
【図１】
2012097569.tif 000003
【図２】
2012097569.tif 000004
【図３】
2012097569.tif 000005
【図４】
2012097569.tif 000006
【図５】
2012097569.tif 000007
【図６】
2012097569.tif 000008
【図７】
2012097569.tif 000009
【図８】
2012097569.tif 000010
【図９】
2012097569.tif 000011
【図１０】
2012097569.tif 000012
【図１１】
2012097569.tif 000013